(57)【要約】      （修正有）【課題】間歇散水で大型屋根全面を短時間のうちに湿潤状態に変えられ、引き続き吸水した状態を保つ。【解決手段】吸液素材の流下経路に沿い、液体の流下方向と交差する向きに液体吸収性のある並列する多数のうね状突起Ａ、Ｂ、Ｃ、Ｄを設け、吸液素材に供給された流下する液体をこのうね状突起により吸収し、うね状突起に沿って横に広げながらうね状突起を越えて流下させ、後に続く吸液素材の全面に液体を拡散させる。うね状突起の各々は、撚って太くした横糸を用い、これを縦糸に交織する部分と縦糸を大きく飛び越して縦糸に載せたままにしておく移動可能な非拘束部分を交互に設けておく。隣接する上下のうね状突起は交織した部分と縦糸に載せたままにしておく部分を互い違いに配置して流下する液体に対しうね状突起を横に連続させ、うね状突起を乗り越えられない少量の液体がこの横糸の下をくぐり抜けて横に拡散しながらうね状突起を通過するようにする。【選択図】図２
2008248678.tif 000002
【特許請求の範囲】
【請求項１】
織組織からなる吸液素材の流下経路に沿い、液体の流下方向と交差する向きに液体吸収性のある並列する多数のうね状突起を設け、吸液素材に供給された流下する液体をこのうね状突起により吸収し、うね状突起に沿って横に広げながらうね状突起を越えて流下させ、後に続く吸液素材の全面に液体を拡散させる液体の流下規正方法にして、
前記うね状突起の各々は、太い横糸を縦糸に交織する部分と縦糸を飛び越して縦糸に載せたままにしておく移動可能な非拘束部分を交互に設けて構成され、隣接する上下のうね状突起は交織した部分と縦糸に載せたままにしておく部分を互い違いに配置して流下する液体に対しうね状突起を横に連続させ、うね状突起を乗り越えられない少量の液体がこの横糸の下をくぐり抜けて横に拡散しながらうね状突起を通過するようにした液体の流下規正方法。
【請求項２】
吸液素材の流下経路に沿い、液体の流下方向と交差する向きに液体吸収性のある並列する多数のうね状突起を設け、吸液素材に供給された流下する液体をこのうね状突起により吸収し、うね状突起に沿って横に広げながらうね状突起を越えて流下させ、後に続く吸液素材の全面に液体を拡散させる液体の流下規正方法にして、
前記うね状突起の各々は、太い横糸を用い、これを下地の吸液素材にミシン縫いした部分と吸液素材表面を飛び越して吸液素材表面に載せたままにしておく移動可能な非拘束部分を交互に設けて構成され、隣接する上下のうね状突起はミシン縫いした部分と吸液素材表面に載せたままにしておく部分を互い違いに配置して流下する液体に対しうね状突起を横に連続させ、うね状突起を乗り越えられない少量の液体がこの横糸の下をくぐり抜けて横に拡散しながらうね状突起を通過するようにした液体の流下規正方法。
【発明の詳細な説明】
【技術分野】
【０００１】  本発明は、大量散水と少量散水のいずれの場合にも適応可能な選択的な通過拡散作用の得られる液体の流下規正方法に係る。
【背景技術】
【０００２】  特許第３５５７５６０号に記載の流下規正シートを布設した一般家屋の融雪屋根のように、冬期湿潤状態にある１００平米前後の屋根であれば、散水量も平米当たり３００ｃｃとして各々の給水ノズルからの散水量を各々を約８００ｃｃに調整しておくことができ、棟から散水した約３０ｌの水は２分以内に軒まで達し実用上問題はなかった。【０００３】  しかし、長尺の大型屋根に間歇的に散水して冷却を行うような場合、散水初期には乾燥したシートの流下経路が急速に水を吸収して流れが経路末端に到達せず、シートが水で飽和するまで時間をかけて待つ必要がある。乾燥しやすい屋根冷却の用途では水を均一に拡散させるのに時間がかかりすぎるという欠点があった。【０００４】  屋根面や屋上スラブ面を少量の水で冷却しようとするなら、この欠点は運転管理の面で大きな障害である。具体的には、含水量の濃淡による表面の温度ムラ、とりわけ低温部に対し高温部があちこちに点在してその周辺部の冷却効果を低下させ、室内側への熱の輻射により不快感を改善できないといった問題があった。【０００５】  この改善策として、特許第３６２００３０号に記載のようなうね状突起を利用した水を横方向に拡散させる方法がある。流下する水はうね状突起が吸収し、うね状突起に沿って横に広げながらうね状突起を越えて流下させ、後に続くシート全面に水を拡散させる方式である。しかしながら、この方法でも水の拡散流下の精度は向上するが長尺全面に水を行き渡らせるには長時間を要する。
【発明の開示】
【発明が解決しようとする課題】
【０００６】  解決しようとする問題点は、乾燥した流下経路は水をよく吸収するので大量に散水する必要があるが、これに要するうね状突起の丈は後続して流す常態時の少量の水の流れの妨げになる。当初は大量の水を散水して長尺流下経路に急速に含水させ、その後は流下経路の含水状態を保つのに必要な少ない水量で給水するといった選択的散水量の切換のできない点である。
【課題を解決するための手段】
【０００７】  本発明は、流下経路が乾燥状態の初期散水において、多量の水を流下経路に設けた丈の高いうね状突起により捕捉し越流させ横に拡散させながら流下するようにし、流下経路が含水した後に補給される少量の水の流れをうね状突起が遮ることなく拡散させながら通過させることを主な特徴としている。
【発明の効果】
【０００８】  本発明によれば、散水量を所望の最大流量から予め設定した最小流量まで選択的に変化させても拡散機能はこれに追随し、間歇運転のもとでも長尺の大型屋根全面を短時間のうちに湿潤状態に変えられ、引き続き吸水した状態を保てるという利点がある。
【発明を実施するための最良の形態】
【０００９】  初期散水時の多量の水と常態散水時の少量の水を精度よく拡散させることの２つの対立する要求を満足させられる液体の流下規正方法を提供する。
【実施例１】
【００１０】  以下、添付図面に沿って本発明の実施例につき詳細に説明する。
吸液素材Ｓは、屋根面や屋上コンクリートスラブ面、地上のアスファルトやコンクリートの路面上に敷設される。この敷設に際しては、固定具を用いて機械的に拘束するか接着剤により面接着させて固定する。
こうして設置した吸液素材の上流側に液体供給手段（図示せず）より熱媒体となる液体が供給される。
屋根冷却を例にとると、液体供給手段より吸液素材Ｓに放出される液体は雨水や地下水の水である。屋根冷却の運転の始動時には吸液素材は乾燥している。吸液素材の表面に散水された水は乾燥した吸液素材が急速に吸収し、湿潤状態の領域を拡大しながら流下していく。【００１１】  図１は吸液素材の外観を示し、図２は吸液素材の一部を拡大して示す説明図である。
吸液素材は、一重組織の平織り地（Ｉ）と綾織り地（ＩＩ）の混合織物から構成されいる。綾織り地（ＩＩ）は、後述するうね状突起の密集した領域に相当している。
具体的には、横糸の糸使いは３０番の単糸と３０番３本撚りを用い、縦糸の糸使いは３０番単糸によっている。３本撚りの横糸は４列のうね状突起Ａ、Ｂ、Ｃ、Ｄ、次の４列との間に単糸の１列Ｅを配置した繰返し配列とされている。すなわち、３本撚りの横糸の各々は縦糸１１本を飛び越えて両側を縦糸に交織させ、横に不連続な４列のうね状突起Ａ、Ｂ、Ｃ、Ｄを形成している。
うね状突起の各々は、下地の吸液素材に織り込んだ部分と縦糸を飛び越して吸液素材表面に載せたままにしておく部分を交互に設けて構成されている。この部分は吸液素材の表面に対し相対的に移動可能な非拘束部分である。
図示の例では、３本撚りの横糸からなるうね状突起Ａ、Ｂ、Ｃ、Ｄの４列が１つのうね状突起群を構成し、平織の列Ｅは水の横方向の拡散経路である。
この４列のうね状突起の１群と１つの拡散経路を、例えば、４５回繰り返せば約７センチの上下幅のうね状突起の密集した領域、すなわち綾織り地（ＩＩ）が形成される。
うね状突起の密集した領域である綾織り地（ＩＩ）は、液体の流下経路に沿って上下方向に間隔をおいて配置されている。【００１２】  吸液素材に供給され勾配に沿って移動すなわち流下する水はうね状突起が吸収し、うね状突起に沿って横に広がりながらうね状突起を越えて流下し、後に続く吸液素材の全面に液体を拡散させる働きをする。うね状突起の吸水性に影響を及ぼすものとしては、繊維のスパン長、撚り回数、糸に加えられたテンションがある。これらの要素は適宜選択される。一般的な構造では、吸液素材は裏側を樹脂材料でコーティングされている。【００１３】  縦糸を大きく飛び越して縦糸に載せたままにしておく部分は吸液素材の表面上にあって吸液素材に対し移動可能な非拘束の状態にある。このように糸使いすることで、大量の液体は丈の高いうね状突起が堰として機能し、越流しながら横に拡散していく。いったん吸液素材が含水してしまえば、後続の散水量は吸液素材の保水状態を維持できる程度の少量で散水しても吸液素材を保水状態に保つことができる。うね状突起を乗り越えられない少量の水は非拘束のうね状突起の下側が伏在通路として機能するので、吸液素材の表面とうね状突起をなす横糸の下側との間に挟まれて水は横に拡散しながらうね状突起下を通過していく。
【実施例２】
【００１４】  図３に示す吸液素材は、３０番の単糸を用いて平織りされた織布から構成されている。この例でのうね状突起の列ａ、ｂ、ｃ、ｄは、ミシン縫いされる３０番３本撚り相当の太い単糸を用い、短間隔の繰返し縫い目１０と布地の縦糸を１０本程度飛び越える縫い目２０を形成している。縫い目２０は吸液素材の表面に対し相対的に移動可能な非拘束部分であり、うね状突起を構成している。図２の例と同様に、４つのうね状突起の列ａ、ｂ、ｃ、ｄが１つのうね状突起群を構成している。うね状突起群は隙間通路の列ｅをおいて、繰り返して配列されている。列ｅは水の横方向への拡散経路でる。
うね状突起の密集した領域の形態は図２の場合と同様であり、液体の流下経路に沿って間隔をおいて配置されている。【００１５】  縦糸を大きく飛び越して縦糸に載せたままにしておく縫い目２０は吸液素材の表面上にあって吸液素材に対し移動可能な非拘束の状態にある。このように糸使いすることで、大量の液体は丈の高いうね状突起が堰として機能し、越流しながら横に拡散していく。いったん吸液素材が含水してしまえば、後続の散水量は吸液素材の保水状態を維持できる程度の少量で散水しても吸液素材を保水状態に保つことができる。うね状突起を乗り越えられない少量の水は非拘束のうね状突起の下側が平らな伏在通路として機能するので、吸液素材の表面とうね状突起をなす横糸の下側との間に挟まれて水は横に拡散しながらうね状突起下を通過していく。
実施例１の場合と同様に、吸液素材の裏面は樹脂材料をラミネートしたりゴム材でコーティングしておくことができる。
【産業上の利用可能性】
【００１６】  工場、駅舎、公共施設のような数万平米におよぶ長尺大型の屋根面であっても、流下水を効果的に拡散分布させることができる。
【図面の簡単な説明】
【００１７】
【図１】  吸液素材の外観を示す説明図である。
【図２】  吸液素材の一部を拡大して示す説明図である。
【図３】  うね状突起の変更例を示す説明図である。
【符合の説明】
【００１８】  Ａ、Ｂ、Ｃ、Ｄ  うね状突起の列
Ｅ  平織の列
ａ、ｂ、ｃ、ｄ  うね状突起の列
ｅ  隙間通路の列
【図１】
2008248678.tif 000003
【図２】
2008248678.tif 000004
【図３】
2008248678.tif 000005